(57)【特許請求の範囲】
【請求項１】
負荷機器に電力を供給する電源に接続される電線が挿入される第１の電線挿入部と、前記負荷機器に接続される電線が挿入される第２の電線挿入部とを備え、前記第１の電線挿入部及び前記第２の電線挿入部の各々が正面方向に開口した筐体と、
前記第１の電線挿入部及び前記第２の電線挿入部にそれぞれ設置された導電性金具と、
前記第１の電線挿入部の導電性金具と前記第２の電線挿入部の導電性金具とを電気的に接続するか、絶縁するかを切り換える開閉部とを有し、
前記筐体は、前記第１の電線挿入部の導電性金具又は前記第２の電線挿入部の導電性金具に接するまで棒状の接続導体を前記第１の電線挿入部と前記第２の電線挿入部との配列方向である第１の方向から挿入可能な導体挿入口を備え、
前記第１の電線挿入部の導電性金具及び前記第２の電線挿入部の導電性金具は、前記筐体の前記第１の方向の二つの端面のうちの一方と対向する部位に、前記導体挿入口を通じて前記筐体内に挿入された前記接続導体を案内する曲面部を備えた導体接触部を有し、
前記曲面部による前記接続導体の案内先において、前記接続導体と前記導体接触部とが接触することを特徴とする接点開閉器。
【請求項２】
前記筐体は、前記第１の方向の二つの端面の各々に、前記第１の電線挿入部の導電性金具及び前記第２の電線挿入部の導電性金具を覆うハウジングを有し、
前記導体挿入口は、前記ハウジングに形成されていることを特徴とする請求項１に記載の接点開閉器。
【請求項３】
前記ハウジングは、前記導体挿入口を塞ぐ薄肉部を備えることを特徴とする請求項２に記載の接点開閉器。
【請求項４】
前記曲面部は、前記第１の方向と垂直な方向に前記接続導体を案内し、
前記導体接触部は、前記曲面部による前記接続導体の案内先に配置されて、前記接続導体の側面と接触する平面部を備えることを特徴とする請求項１から３のいずれか１項に記載の接点開閉器。
【請求項５】
前記導体接触部は、前記曲面部を二つ備え、
二つの前記曲面部は、前記第１の方向と垂直な平面において間隔を空けて相対する一対の案内部をなしており、
前記一対の案内部の各々は、前記筐体の前記第１の方向の二つの端面のうちの一方と対向する面が、前記一対の案内部の対の相手へ向かう方向へ、向きが連続的に変化することを特徴とする請求項１から３のいずれか１項に記載の接点開閉器。
【請求項６】
請求項１から５のいずれか１項に記載の接点開閉器の前記第１の電線挿入部又は前記第２の電線挿入部に挿入される接続補助ピンであって、
前記第１の電線挿入部又は前記第２の電線挿入部への挿入方向に対して傾きを有する傾斜面を有し、
前記第１の電線挿入部又は前記第２の電線挿入部へ挿入された際に、前記傾斜面は、前記接続導体を前記第１の電線挿入部の導電性金具又は前記第２の電線挿入部の導電性金具側に付勢することを特徴とする接続補助ピン。
【請求項７】
棒状のピン部と、前記ピン部を保持するピンハウジングとを有し、
前記ピンハウジングは、前記ピン部が係合した第１係合部と、前記第１係合部よりも前記第１の電線挿入部又は前記第２の電線挿入部への挿入方向の後方に設けられた第２係合部とを、前記第１係合部と前記第２係合部との間に設けられた凸部とを備え、
前記第１の電線挿入部又は前記第２の電線挿入部への挿入時に前記ピン部が受ける反力が一定値を超えると、前記ピン部は前記凸部を乗り越えて前記第２係合部に係合することを特徴とする請求項６に記載の接続補助ピン。
【発明の詳細な説明】
【技術分野】
【０００１】
本発明は、電流路の開閉を行う接点開閉器、及びこの接点開閉器と拡張機器との電気的な接続を補助する接続補助ピンに関する。
【背景技術】
【０００２】
電流路の開閉を行う接点開閉器は、電線を介して電源に接続される端子と、電線を介して負荷に接続される端子とを備えている。接点開閉器のこれらの端子に接続される電線は、端部の絶縁被覆が剥がされて、絶縁被覆が剥がされた部分にこれらの端子と接続されるための接続端子が取り付けられる。接点開閉器の端子には、ねじ式端子とスプリング式端子との２種類がある。【０００３】
ねじ式端子は、座金が付属したねじと導電性金具とを有し、座金が付属したねじを導電性金具に開けられたねじ穴に締結することで、座金と導電性金具とで接続端子を圧着する。これにより、導電性金具と接続端子のとの電気的導通が図られる。導電性金具へのねじの締結は、ドライバーといった工具を用いて行われる。接点開閉器の使用者が正面方向からねじを締結できるように、ねじは、ねじ頭を正面に向けて配置される。電源に接続される電線の接続端子が、接点開閉器のねじ式端子に接続される場合、接続端子は、電源側の端子と負荷側の端子との配列方向に沿って、座金と導電性金具との間に挿入される。【０００４】
一方、スプリング式端子は、枠部が形成された導電性金具と、枠部に嵌め込まれた板ばね状のスプリングとを有し、枠部に差し込まれた接続端子をスプリングの圧力にて保持する。これにより、導電性金具と接続端子との電気的導通が図られる。スプリング式端子を有する接点開閉器は、電線挿入部の開口が正面に向けられており、接点開閉器の正面から接続端子が挿入される。【０００５】
スプリング式端子を有する接点開閉器は、電線挿入部に電線の接続端子を差し込むことで配線が完了するため、配線作業の工数は、ねじ式端子を有する接点開閉器よりも少なくて済む。このため、近年ではスプリング式端子を有する接点開閉器が用いられることが多くなっている。【０００６】
熱動継電器及び他の機器と結合するための接続導体ユニットといった拡張機器を接点開閉器に結合する際には、電源側の端子又は負荷側の端子が利用される。接点開閉器に結合する拡張機器は、結合用の接続導体を備えている。ねじ式端子を有する接点開閉器に拡張機器を結合する場合には、電源側の端子と負荷側の端子との配列方向に沿って座金と導電性金具との間に拡張機器の接続導体が挿入され、導電性金具と座金とで拡張機器の接続導体が圧着される。一方、スプリング式端子を有する接点開閉器に拡張機器を結合する場合には、接点開閉器の正面から拡張機器の接続導体がスプリング式端子の電線挿入部に挿入される。【０００７】
上記のように、ねじ式端子を有する接点開閉器とスプリング式端子を有する接点開閉器とは、拡張機器の接続導体を挿入する方向が異なっている。また、ねじ式端子を有する接点開閉器用の拡張機器は、電源側の端子と負荷側の端子との配列方向に沿って接点開閉器と結合される。一方、スプリング式端子を有する接点開閉器用の拡張機器は、接点開閉器の正面に結合される。したがって、ねじ式端子を有する接点開閉器からスプリング式端子を有する接点開閉器に置き換えた場合には、ねじ式端子を有する接点開閉器用の拡張機器を結合することができなくなってしまう。【０００８】
特許文献１には、ねじ式端子用の接続導体をスプリング式端子用の接続導体に変換する連結ユニットが開示されている。特許文献１に開示される連結ユニットを用いれば、ねじ式端子用の拡張機器をスプリング式端子を有する接点開閉器に結合することができる。
【先行技術文献】
【特許文献】
【０００９】
【特許文献１】特開２０１８−１９０５７４号公報
【発明の概要】
【発明が解決しようとする課題】
【００１０】
しかしながら、特許文献１に開示される連結ユニットは、拡張機器と連結ユニットとを連結する工数が必要であるため、配線作業の工数削減の妨げとなってしまう。【００１１】
本発明は、上記に鑑みてなされたものであって、スプリング式端子を備えながらもねじ式端子用の拡張機器を工数の増加を抑制して接続可能な接点開閉器を得ることを目的とする。
【課題を解決するための手段】
【００１２】
上述した課題を解決し、目的を達成するために、本発明は、負荷機器に電力を供給する電源に接続される電線が挿入される第１の電線挿入部と、負荷機器に接続される電線が挿入される第２の電線挿入部とを備え、第１の電線挿入部及び第２の電線挿入部の各々が正面方向に開口した筐体と、第１の電線挿入部及び第２の電線挿入部にそれぞれ設置された導電性金具と、第１の電線挿入部の導電性金具と第２の電線挿入部の導電性金具とを電気的に接続するか、絶縁するかを切り換える開閉部とを有する。筐体は、第１の電線挿入部の導電性金具又は第２の電線挿入部の導電性金具に接するまで棒状の接続導体を第１の電線挿入部と第２の電線挿入部との配列方向である第１の方向から挿入可能な導体挿入口を有する。
【発明の効果】
【００１３】
本発明に係る接点開閉器は、スプリング式端子を備えながらもねじ式端子用の拡張機器を工数の増加を抑制して接続できるという効果を奏する。
【図面の簡単な説明】
【００１４】
【図１】本発明の実施の形態１に係る接点開閉器の斜視図
【図２】実施の形態１に係る接点開閉器の斜視図
【図３】実施の形態１に係る接点開閉器の正面図
【図４】実施の形態１に係る接点開閉器の断面図
【図５】実施の形態１に係る接点開閉器のハウジングの斜視図
【図６】実施の形態１に係る接点開閉器のハウジングの平面図
【図７】実施の形態１に係るハウジングの断面図
【図８】実施の形態１に係る接点開閉器の導電性金具の斜視図
【図９】実施の形態１に係る接点開閉器の導電性金具の斜視図
【図１０】実施の形態１に係る接点開閉器に結合される熱動継電器の斜視図
【図１１】実施の形態１に係る接点開閉器と熱動継電器とを組み合わせた電磁開閉器の分解斜視図
【図１２】実施の形態１に係る接点開閉器と熱動継電器とを組み合わせた電磁開閉器の正面図
【図１３】実施の形態１に係る接点開閉器と熱動継電器との結合部分の断面図
【図１４】実施の形態１に係る接点開閉器の導電性金具の変形例を示す図
【図１５】本発明の実施の形態２に係る接続補助ピンの斜視図
【図１６】実施の形態２に係る接続補助ピンの平面図
【図１７】実施の形態２に係る接続補助ピンを用いて実施の形態１に係る接点開閉器と熱動継電器とを結合した電磁開閉器の斜視図
【図１８】実施の形態２に係る接続補助ピンを用いて実施の形態１に係る接点開閉器と熱動継電器とを結合した電磁開閉器の正面図
【図１９】実施の形態２に係る接続補助ピンを用いて実施の形態１に係る接点開閉器と熱動継電器とを結合した電磁開閉器の断面図
【図２０】実施の形態２に係る接続補助ピンを用いて実施の形態１に係る接点開閉器と熱動継電器とを結合した電磁開閉器の断面図
【図２１】実施の形態２に係る接続補助ピンの未使用時の断面図
【図２２】実施の形態２に係る接続補助ピンの電磁開閉器への圧入後の断面図
【発明を実施するための形態】
【００１５】
以下に、本発明の実施の形態に係る接点開閉器及び接続補助ピンを図面に基づいて詳細に説明する。なお、この実施の形態によりこの発明が限定されるものではない。
【００１６】
実施の形態１．
図１は、本発明の実施の形態１に係る接点開閉器の斜視図である。図２は、実施の形態１に係る接点開閉器の斜視図である。図３は、実施の形態１に係る接点開閉器の正面図である。図４は、実施の形態１に係る接点開閉器の断面図である。図４は、図３中のIV-IV線に沿った断面を示している。接点開閉器１の筐体１００は、ケース２及びリアケース３を備えている。ケース２及びリアケース３は、絶縁材で形成されている。接点開閉器１は、負荷機器に電力を供給する電源に接続される電線が挿入される電線挿入部４と、負荷機器に接続される電線が挿入される電線挿入部５と、接点開閉器１の操作用の電線が挿入される電線挿入部６とを備える。なお、第１の電線挿入部である電線挿入部４と第２の電線挿入部である電線挿入部５は同じ構造であり、図３に示す接点開閉器１の中心を通る面αに対して対称に配置されている。
【００１７】
接点開閉器１において、第１の電線挿入部である電線挿入部４と第２の電線挿入部である電線挿入部５との配列方向である第１の方向を上下方向とする。また、ケース２及びリアケース３の配列方向であり、第１の方向と直交する第２の方向を前後方向とする。さらに、第１の方向及び第２の方向の両方に直交する第３の方向を左右方向とする。なお、ケース２側が接点開閉器１の前方であり、リアケース３側が接点開閉器１の後方である。また、電線挿入部４が設けられている側が接点開閉器１の上方であり、電線挿入部５が設けられている側が接点開閉器１の下方である。また、接点開閉器１の後方から前方へ向かう方向での左手側が接点開閉器１の左方であり、接点開閉器１の後方から前方へ向かう方向での右手側が接点開閉器１の右方である。以下、前後方向に伸びるＸ軸、左右方向に伸びるＹ軸及び上下方向に伸びるＺ軸による座標系において接点開閉器１の構造を説明する。なお、接点開閉器１を設置したときの姿勢によっては、接点開閉器１の上下方向は鉛直方向と一致しない場合がありうる。
【００１８】
図４に示すように、電線挿入部４，５，６は、開口部を持つ挿入口部材７と、スプリング式端子８と、筐体１００の一部をなすハウジング９とを有する。スプリング式端子８は、ケース２に固定された導電性金具１０と、導電性金具１０の枠部１０ａに係合するスプリング１１とで構成される。スプリング式端子８は、電線の端部に取り付けられた接続端子を枠部１０ａとスプリング１１との間に挟むことで、スプリング１１の弾性力によって接続端子を導電性金具１０に圧接させ、導電性金具１０と電線とを電気的に接続する。なお、スプリング式端子８は、絶縁被覆を剥いで芯線を露出させた電線の端部を直接挟み込んで導通することも可能である。
【００１９】
図３及び図４に示すように、挿入口部材７は、開口部７ａを接点開閉器１の正面に向けてハウジング９及びケース２に固定される。電線を接点開閉器１に配線する際、電線の端部に取り付けられた接続端子を挿入口部材７の筒状部７ｂに挿入すると、枠部１０ａとスプリング１１との間に接続端子が案内される。また、挿入口部材７に、電線を取り外すための工具挿入口７ｃ及び検電用のテスターを挿入するための検電孔７ｄが設けられている。工具挿入口７ｃに工具を挿入することで枠部１０ａとスプリング１１との間に隙間が形成され、電線の取り外しが可能となる。また、検電孔７ｄにテスターを挿入することによってテスターの先端がスプリング１１に接触し、導通を確認することが可能となる。ハウジング９は枠部１０ａ及びスプリング１１を覆うように配置され、絶縁性を確保している。
【００２０】
図４に示すように、接点開閉器１は、電線挿入部４の導電性金具１０と電線挿入部５の導電性金具１０とを電気的に接続するか絶縁するかを切り換える開閉部６０を有する。開閉部６０は、固定鉄心５２、操作コイル６６及び可動鉄心５４によって構成される電磁石部６１と、クロスバー５７及び可動接触子４１を有する可動部６２とを備える。操作コイル６６は、固定鉄心５２の中央脚に巻回されている。可動鉄心５４は、固定鉄心５２と間隔をもって相対向して配置されている。クロスバー５７は、絶縁材料で形成され連結板５９を介して可動鉄心５４と連結されている。可動接触子４１は、クロスバー５７の頭部に設けた保持穴に配設されて、電線挿入部４の導電性金具１０及び電線挿入部５の導電性金具１０のそれぞれと対向している。可動接触子４１が電線挿入部４の導電性金具１０及び電線挿入部５の導電性金具１０の双方に接触することで電流が通電され、回路が形成される。接点開閉器１は、電線挿入部４及び電線挿入部５を五つずつ備える。Ｙ方向における中央の三つの電線挿入部４は、大電流を流す回路を開閉する主接点をなし、Ｙ方向における端部の二つの電線挿入部４は、小電流を流す回路を開閉する補助接点をなす。また、Ｙ方向における中央の三つの電線挿入部５は、大電流を流す回路を開閉する主接点をなし、Ｙ方向における端部の二つの電線挿入部５は、小電流を流す回路を開閉する補助接点をなす。
【００２１】
図５は、実施の形態１に係る接点開閉器のハウジングの斜視図である。図６は、実施の形態１に係る接点開閉器のハウジングの平面図である。図７は、実施の形態１に係るハウジングの断面図である。図７は、図６中のVII-VII線に沿った断面を示している。ハウジング９は、拡張機器の棒状の接続導体を導電性金具１０との接触する箇所に導く導体挿入口９ａを有する。導体挿入口９ａは、ハウジング９をケース２に組付けた際に上方又は下方を向く部分に設けられている。したがって、接点開閉器１には、上下方向から拡張機器の棒状の接続導体を挿入可能となっている。導体挿入口９ａは、外部から接点開閉器１の内部への塵埃の侵入を防ぐために、薄肉部９ｂによって塞がれている。薄肉部９ｂの厚さは、棒状剛体で突き破ることが可能な厚さである。一例をあげると、薄肉部９ｂの厚さを０．３ｍｍ以下とすることで、棒状剛体で薄肉部９ｂを突き破ることが可能となる。なお、拡張機器の接続導体と同じ大きさの開口をハウジング９に設けることで、棒状剛体を貫通可能とし、かつ塵埃の侵入の懸念を小さくすることができる。なお、導体挿入口９ａに拡張機器の棒状の接続導体を挿入する方向は、上下方向と完全に一致していなくてもよい。すなわち、導体挿入口９ａに拡張機器の棒状の接続導体を挿入する方向が、上下方向に対して設計上の限度内の傾きを有する場合も、導体挿入口９ａに拡張機器の棒状の接続導体を挿入する方向が上下方向と見なすことができる。
【００２２】
図８は、実施の形態１に係る接点開閉器の導電性金具の斜視図である。図９は、実施の形態１に係る接点開閉器の導電性金具の斜視図である。以下において、導電性金具１０が負荷側である電線挿入部５のスプリング式端子８に用いられる場合を想定して導電性金具１０の形状を説明する。なお、電線挿入部４と電線挿入部５は同じ構造であり、接点開閉器１の中心を通る面αに対して対称に配置されているため、導電性金具１０が電線挿入部４のスプリング式端子８に用いられる場合には、左右及び上下は下記の説明とは逆となる。
【００２３】
導電性金具１０は、一端部に設けられた第１の部位３１と、第１の部位３１の上端部から後方へ伸びる第２の部位３２と、第２の部位３２の左端部から下方に折り返された第３の部位３３と、第３の部位３３の後端部から下方に伸びる第４の部位３４と、第４の部位３４の下端部から後方へ伸びる第５の部位３５と、第５の部位３５の後端部から上方へ伸びる第６の部位３６とを有する。導電性金具１０のうち、第３の部位３３及び第５の部位３５は、筐体１００の上面と対向する。第１の部位３１には、電線の端部に取り付けられた接続端子と接触する枠部１０ａが設けられている。第３の部位３３には、拡張機器の接続導体と接触する導体接触部１０ｂが設けられている。導体接触部１０ｂは、第３の部位３３の右端部に設けられている。第６の部位３６に可動接触子４１が接触したり離れたりすることによって、電源と負荷機器との間の通電及び遮断が切り替わる。
【００２４】
導体接触部１０ｂは、下方向から前方向まで連続的に向きが変化する曲面部２２と、ＸＹ平面上において曲面部２２の前方に位置する平面部２１と、ＸＹ平面上において平面部２１よりも前方に張り出す導体押さえ部２３とを有する。
【００２５】
図１０は、実施の形態１に係る接点開閉器に結合される熱動継電器の斜視図である。熱動継電器１２は、配線経路において接点開閉器１よりも負荷側に配置されて電磁開閉器を構成する。以下の説明において、熱動継電器１２を接点開閉器１に結合した際の前後、左右及び上下と一致するように、熱動継電器１２の前後、左右及び上下を定義する。熱動継電器１２の筐体１１０は、下部のケース１３と上部のカバー１４とによって形成されている。熱動継電器１２は、ねじ式端子を有する接点開閉器用の拡張機器であるため、棒状の接続導体１５は、カバー１４から突出して上方向に伸びている。
【００２６】
図１１は、実施の形態１に係る接点開閉器と熱動継電器とを組み合わせた電磁開閉器の分解斜視図である。図１２は、実施の形態１に係る接点開閉器と熱動継電器とを組み合わせた電磁開閉器の正面図である。図１３は、実施の形態１に係る接点開閉器と熱動継電器との結合部分の断面図である。図１３は、図１２中のXIII-XIII線に沿った断面を示している。接点開閉器１と熱動継電器１２との結合時には、接点開閉器１の下面側に配置されたハウジング９が有する導体挿入口９ａに熱動継電器１２の棒状の接続導体１５が挿入される。導体挿入口９ａに挿入された接続導体１５は、ハウジング９内部に配置された導電性金具１０の導体接触部１０ｂに接触する。この際、接続導体１５は、導体接触部１０ｂの曲面部２２によって前方に案内され、平面部２１と接続導体１５の側面１５ａとが接触する。
【００２７】
接点開閉器１に下方向から熱動継電器１２の接続導体１５が挿入された際に、曲面部２２に接触して前方に撓んだ状態の接続導体１５の側面１５ａが平面部２１に接触する。すなわち、曲面部２２による接続導体１５の案内先に配置されている平面部２１に、接続導体１５の側面１５ａが接触する。ＸＹ平面上での曲面部２２の位置を、接続導体１５と干渉する位置にすることにより、接続導体１５を平面部２１に押し付ける力が生じて導通面積が拡大するため、電気的接続における抵抗を減らすことができる。また、接続導体１５の右方に隣接する導体押さえ部２３が平面部２１よりも前方に張り出しているため、接続導体１５が右方向に脱落することは防止される。
【００２８】
上記の例において、導電性金具１０の第３の部位３３に導体接触部１０ｂが設けられていたが、導体接触部１０ｂは、第３の部位３３ではなく第５の部位３５に設けても良い。すなわち、導体接触部１０ｂは、接点開閉器１の筐体１００の上面又は下面と対向する部位に設けられていればよい。
【００２９】
図１４は、実施の形態１に係る接点開閉器の導電性金具の変形例を示す図である。第３の部位３３の右端部には、前方案内部１０ｇ及び後方案内部１０ｈが設けられている。前方案内部１０ｇの下面は、下方向から後方向まで向きが連続的に変化する曲面となっている。後方案内部１０ｈの下面は、下方向から前方向まで向きが連続的に変化する曲面となっている。すなわち、一対の案内部である前方案内部１０ｇ及び後方案内部１０ｈの各々は、筐体１００の下面と対向する面が、一対の案内部の対の相手へ向かう方向へ向きが連続的に変化する曲面となっている。前方案内部１０ｇ又は後方案内部１０ｈに当接した熱動継電器１２の接続導体１５は、前方案内部１０ｇと後方案内部１０ｈとの隙間に導かれ、隙間に嵌まって固定される。接続導体１５が前方案内部１０ｇと後方案内部１０ｈとに挟まれることにより、導電性金具１０と電線との電気的な接続の信頼性が向上する。また、接続導体１５が前方案内部１０ｇと後方案内部１０ｈとに挟まれるため、電線が右方向に脱落しにくい。
【００３０】
なお、相対する一対の案内部を備え、一対の案内部の間に接続導体を挟んで固定できればよく、一対の案内部は、ＸＹ平面内で前後方向以外の方向に並んでいてもよい。
【００３１】
実施の形態１に係る接点開閉器１は、筐体１００の上面又は下面の一部をなすハウジング９に導体挿入口９ａが設けられているため、電線挿入部４，５，６がスプリング式端子８を備えるスプリング式であるが、ねじ式端子用の拡張機器を直接結合することができる。また、導電性金具１０のうち、接点開閉器１の筐体１００の上面又は下面と対向する部位である第３の部位３３に導体接触部１０ｂが設けられているため、電線挿入部４，５，６の開口方向とは向きが異なる上下方向からねじ式端子用の拡張機器を結合することができる。なお、拡張機器の棒状の接続導体を上下方向から筐体１００に挿入可能であるならば、ハウジング９は、筐体１００の上面又は下面以外の部分に設置してもよい。
【００３２】
実施の形態２．
図１５は、本発明の実施の形態２に係る接続補助ピンの斜視図である。図１６は、実施の形態２に係る接続補助ピンの平面図である。接続補助ピン１６は、導電性金具１０に接続導体１５を押し付ける棒状のピン部１７と、ピン部１７を保持し接点開閉器１との結合を補助するピンハウジング１８とで構成されている。ピンハウジング１８は、電線挿入部５に対するピン部１７の挿入箇所を決定する。図１７は、実施の形態２に係る接続補助ピンを用いて実施の形態１に係る接点開閉器と熱動継電器とを結合した電磁開閉器の斜視図である。図１８は、実施の形態２に係る接続補助ピンを用いて実施の形態１に係る接点開閉器と熱動継電器とを結合した電磁開閉器の正面図である。ピン部１７は、電線挿入部５への挿入方向に対する傾きを有する傾斜面１７１を有する。
【００３３】
図１９は、実施の形態２に係る接続補助ピンを用いて実施の形態１に係る接点開閉器と熱動継電器とを結合した電磁開閉器の断面図である。図１９は、図１８中のXIX-XIX線に沿った断面を示している。図２０は、実施の形態２に係る接続補助ピンを用いて実施の形態１に係る接点開閉器と熱動継電器とを結合した電磁開閉器の断面図である。図２０は、図１８中のXX-XX線に沿った断面を示している。接続補助ピン１６は、接続導体１５が結合した相の電線挿入部５の開口部７ａから挿入される。ピンハウジング１８により挿入箇所の位置が決定され、ピン部１７の傾斜面１７１は接続導体１５の導電性金具１０の平面部２１及び導体押さえ部２３と接している逆側に接触する。完全に挿入されると、位置の関係によりピン部１７と接続導体１５は干渉し、接続導体１５を平面部２１の方向及び導体押さえ部２３の方向へ圧接する。
【００３４】
また、ピン部１７は接続導体１５と接触しており、かつ導電性金具１０の枠部１０ａと電気的に接続されているため、新たな通電路を確保する機能も併せ持つ。
【００３５】
接続補助ピン１６を電線挿入部５に取り付けるため、ピン部１７はスプリング式端子８に保持され、固定力は常に担保される。
【００３６】
また、接続補助ピン１６が接続導体１５と導電性金具１０との接触圧力を担保するためには、接続導体１５の導体接触部１０ｂへの押付け量を確保する必要がある。そのため、接続補助ピン１６を電線挿入部５に圧入する必要があるが、圧入の完了を常に数値的に管理することは困難であり、接続した際に圧入不足となる可能性がある。
【００３７】
図２１は、実施の形態２に係る接続補助ピンの未使用時の断面図である。図２１は、図１６中のXXI-XXI線に沿った断面を示している。図２２は、実施の形態２に係る接続補助ピンの電磁開閉器への圧入後の断面図である。接続補助ピン１６が未使用時には、ピン部１７のハウジング結合部１７ａは、ピンハウジング１８の第１係合部１８ａに係合している。ピンハウジング１８の第１係合部１８ａの径は、接点開閉器１の挿入口部材７の筒状部７ｂの径と同じである。第１係合部１８ａは、ハウジング結合部１７ａによって押し広げられて弾性変形している。接続補助ピン１６が電線挿入部５に圧入される際に、ピン部１７に圧入の反力が発生する。圧入が完了する挿入圧力に達した際に、反力によりピン部１７のハウジング結合部１７ａが凸部１８ｃを乗り越えて第２係合部１８ｂに係合する。すなわち、電線挿入部５への挿入時にピン部１７が受ける反力が一定値を超えると、ピン部１７は凸部１８ｃを乗り越えて第２係合部１８ｂに係合する。凸部１８ｃをピン部１７のハウジング結合部１７ａが乗り越える際に、振動及び係合音が発生するため、接続補助ピン１６の挿入者は、圧入が完了したことを振動及び係合音に基づいて認識することができる。凸部１８ｃを乗り越えて第２係合部１８ｂにハウジング結合部１７ａが移動すると、第１係合部１８ａは元の形状に復元し、ハウジング結合部１７ａは、第２係合部１８ｂに固定される。
【００３８】
実施の形態２に係る接続補助ピン１６は、電線挿入部５への挿入方向に対して傾きを有する傾斜面１７１を有し、電線挿入部５へ挿入された際に、傾斜面１７１は、接続導体１５を導電性金具１０側に付勢するため、接続導体１５と導電性金具１０との接触圧力を高くし、接続導体１５と導電性金具１０との電気的な接続の信頼性を高めることができる。
【００３９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４０】
１  接点開閉器、２，１３  ケース、３  リアケース、４，５，６  電線挿入部、７  挿入口部材、７ａ  開口部、７ｂ  筒状部、７ｃ  工具挿入口、７ｄ  検電孔、８  スプリング式端子、９  ハウジング、９ａ  導体挿入口、９ｂ  薄肉部、１０  導電性金具、１０ａ  枠部、１０ｂ  導体接触部、１０ｇ  前方案内部、１０ｈ  後方案内部、１１  スプリング、１２  熱動継電器、１４  カバー、１５  接続導体、１５ａ  側面、１６  接続補助ピン、１７  ピン部、１７ａ  ハウジング結合部、１８  ピンハウジング、１８ａ  第１係合部、１８ｂ  第２係合部、１８ｃ  凸部、２１  平面部、２２  曲面部、２３  導体押さえ部、３１  第１の部位、３２  第２の部位、３３  第３の部位、３４  第４の部位、３５  第５の部位、３６  第６の部位、４１  可動接触子、５２  固定鉄心、５４  可動鉄心、５７  クロスバー、５９  連結板、６０  開閉部、６１  電磁石部、６２  可動部、６６  操作コイル、１００，１１０  筐体、１７１  傾斜面。
【要約】
負荷機器に電力を供給する電源に接続される電線が挿入される電線挿入部（４）と、負荷機器に接続される電線が挿入される電線挿入部（５）とを備え、電線挿入部（４）及び電線挿入部（５）の各々が正面方向に開口した筐体（１００）と、電線挿入部（４）及び電線挿入部（５）にそれぞれ設置された導電性金具（１０）と、電線挿入部（４）の導電性金具（１０）と電線挿入部（５）の導電性金具（１０）とを電気的に接続するか、絶縁するかを切り換える開閉部（６０）とを有し、筐体（１００）は、電線挿入部（４）の導電性金具（１０）又は電線挿入部（５）の導電性金具（１０）に接するまで棒状の接続導体を電線挿入部（４）と電線挿入部（５）との配列方向である第１の方向から挿入可能な導体挿入口を有する。【図１】
0006732155.tif 000002
【図２】
0006732155.tif 000003
【図３】
0006732155.tif 000004
【図４】
0006732155.tif 000005
【図５】
0006732155.tif 000006
【図６】
0006732155.tif 000007
【図７】
0006732155.tif 000008
【図８】
0006732155.tif 000009
【図９】
0006732155.tif 000010
【図１０】
0006732155.tif 000011
【図１１】
0006732155.tif 000012
【図１２】
0006732155.tif 000013
【図１３】
0006732155.tif 000014
【図１４】
0006732155.tif 000015
【図１５】
0006732155.tif 000016
【図１６】
0006732155.tif 000017
【図１７】
0006732155.tif 000018
【図１８】
0006732155.tif 000019
【図１９】
0006732155.tif 000020
【図２０】
0006732155.tif 000021
【図２１】
0006732155.tif 000022
【図２２】
0006732155.tif 000023